(57)【要約】【課題】住宅室内のインテリア部材を選定するに際し、望まれる室内空間のイメージに対して総合的に合致させることのできるインテリア部材の選定を支援するためのインテリア部材表示物を提供する。【解決手段】基準となるインテリア部材が表示されたベースシート１２、及び、基準となるインテリア部材に対して変化させるべきイメージの要素と、変化させるべきイメージの要素に対応した上記基準となるインテリア部材のイメージの変化と、基準となるインテリア部材のイメージの変化に適合したインテリア部材と、が表示されたクリアシート１４からなるインテリア部材表示物１０である。【選択図】図１
2006031407.tif 000002
【特許請求の範囲】
【請求項１】
基準となるインテリア部材が表示されたベースシート、及び、上記基準となるインテリア部材に対して変化させるべきイメージの要素と、上記変化させるべきイメージの要素に対応した上記基準となるインテリア部材のイメージの変化と、上記基準となるインテリア部材のイメージの変化に適合したインテリア部材と、が表示されたクリアシートからなることを特徴とするインテリア部材表示物。
【請求項２】
請求項１に記載のインテリア部材表示物において、前記ベースシートには、室内空間と、上記室内空間に配置された１つ以上の基準となるインテリア部材と、が表示されていることを特徴とするインテリア部材表示物。
【発明の詳細な説明】
【技術分野】
【０００１】
この発明は、住宅室内のインテリア部材を選定するに際し、望まれる室内空間のイメージに対して総合的に合致させることのできるインテリア部材の選定を支援するためのインテリア部材表示物に関する。
【背景技術】
【０００２】
住宅室内のインテリアにおいて、室内の居住性や快適性に関わる重要な要素として、インテリア部材の造りや配色によりもたらされる室内空間のイメージがある。このイメージは、インテリア部材の選定により大きく変化するものであり、これらインテリア部材の選定は、需要者が部材提供側の説明担当者の説明を受けながら、現物の写真見本や色見本などを参照して行われている。
【０００３】
室内空間のイメージを重視したインテリア部材の選定を行う場合、需要者が室内空間のイメージを決定し、そのイメージに基づいてインテリア部材を個別に選定するという方法で行われている。この方法では、選定された各個別のインテリア部材はそのイメージに合うものの、選定されたインテリア部材を実際に室内に配置してみると、当初のイメージからずれてしまう場合があるという問題があった。
【０００４】
そのため、室内空間のイメージを重視したインテリア部材の選定を行う場合、選定したインテリア部材を室内に配置した場合に、総合的にどのようなイメージとなるかを想像しながら選定することなるので、説明担当者、及び、需要者の双方に大きな負担を強いることとなる。特に、近年はインテリア部材のイメージを特徴づける色や形状などの要素に基づくインテリア部材のヴァリエーションが極めて数多くなっており、その選定は複雑極まりないものとなっている。ゆえに、インテリア部材を選定するに際し、望まれる室内空間のイメージに対して総合的に合致するインテリア部材を容易に選定したいという要求があった。
【０００５】
このような問題に対し、望まれる室内空間のイメージをコンピュータを用いて解析し、その解析結果に基づいてインテリア部材を選択する方法が考えられる。例えば、特許文献１にその一例が開示されている。この方法によれば、コンピュータを用いることにより、膨大なデータや複雑なステップ処理を容易に扱うことができるので、インテリア部材の選定の負担が大幅に軽減するものである。
【特許文献１】特開２００３−１４１１８０号公報
【発明の開示】
【発明が解決しようとする課題】
【０００６】
しかし、上記のような方法を採用するにあたっては、コンピュータシステムの開発、データの更新、また、多数のコンピュータシステムの配置において、膨大な労力やコストがかかるという問題がある。そのため、本願発明者らは、上記の問題の解決をより簡単な方法で実現できないかと検討し、本発明の創出にいたった。
【０００７】
ゆえに、本発明が解決しようとする課題は、住宅室内のインテリア部材を選定するに際し、望まれる室内空間のイメージに対して総合的に合致させることのできるインテリア部材の選定を支援するためのインテリア部材表示物を提供することである。
【課題を解決するための手段】
【０００８】
上記の課題を解決するためになされた請求項１に記載の発明は、基準となるインテリア
部材が表示されたベースシート、及び、上記基準となるインテリア部材に対して変化させるべきイメージの要素と、上記変化させるべきイメージの要素に対応した上記基準となるインテリア部材のイメージの変化と、上記基準となるインテリア部材のイメージの変化に適合したインテリア部材と、が表示されたクリアシートからなることを特徴とするインテリア部材表示物である。
【０００９】
請求項２に記載の発明は、請求項１に記載のインテリア部材表示物において、前記ベースシートには、室内空間と、上記室内空間に配置された１つ以上の基準となるインテリア部材と、が表示されていることを特徴とする。
【発明の効果】
【００１０】
請求項１に記載の発明によれば、基準となるインテリア部材に対して、変化させるべきイメージの要素を選択し、変化させるべきイメージの要素が表示されたクリアシートをベースシートに重ね合わせることによって、選択されたイメージの要素が基準となるインテリア部材に適用された際のイメージの変化を具現的に把握することができる。さらに、クリアシートにはそのイメージの変化に適合したインテリア部材が表示されているので、選択された変化させるべきイメージが基準となるインテリア部材に対するイメージの変化を確認しながら、選択されたイメージの要素に適合したインテリア部材を容易に選定することができる。
【００１１】
請求項２に記載の発明によれば、基準となるインテリア部材のイメージを変化させた際に、室内空間のイメージがどのように変化するかということも同時把握することができるので、インテリア部材を選定するに際し、室内空間のイメージの変化を含めた総合的な見地からインテリア部材を選定することができる。
【発明を実施するための最良の形態】
【００１２】
以下に、本発明を実施するための形態を図面を参照して説明する。図１は本発明にかかるインテリア部材表示物１０の斜視図である。このインテリア部材表示物１０は、ベースシート１２、及び、クリアシート１４からなる。ベースシート１２には基準となるインテリア部材が表示されている。クリアシート１４は、透明なシートからなり、基準となるインテリア部材に対して変化させるべきイメージの要素と、変化させるべきイメージの要素に対応した基準となるインテリア部材のイメージの変化と、基準となるインテリア部材のイメージの変化に適合したインテリア部材と、が表示されている。
【００１３】
また、ベースシート１２、及び、クリアシート１４には、それぞれ位置合わせガイドマーク１６が記されている。ベースシート１２、及び、クリアシート１４を重ね合わせる際に、この位置合わせガイドマーク１６をガイドとして互いに合わせることで、ベースシート１２、及び、クリアシート１４を位置合わせするものである。以下に、各構成の詳細を説明する。
【００１４】
図２は、ベースシート１２に表示された基準となるインテリア部材の一例を示す図である。図２においては、テーブル２０、いす２２、カウンター２４、ドア２６、クロセット２８、ソファ３０、１人用ソファ３２、及び、応接テーブル３４が表示されおり、この室内空間は典型的なリビングルームを構成するものである。
【００１５】
図３は、クリアシート１４に表示されたイメージの要素、及び、基準となるインテリア部材に対するイメージの変化を示す図である。詳しくは、選択されたイメージの要素を「形状」とし、これをイメージ要素表示２１で示している。また、テーブル２０、カウンター２４、ドア２６、クロセット２８、及び、応接テーブル３４に対し、これらの「形状」を変化させたイメージ２０ｂ、２４ｂ、２６ｂ、２８ｂ、及び、３４ｂが表示されている
。
【００１６】
また、イメージの変化に対応するインテリア部材を即座に選定したいという要求もあるので、イメージの変化に対応して選定されるべきインテリア部材を照会するカタログ（図示せず）を別途用意し、イメージの変化に適合するインテリア部材が記載されているカタログのページを示すページ表記３６が表示されている。
【００１７】
図４は、ベースシート１２の上にクリアシート１４を重ね合わせた様子を示す図である。図４からわかるように、ベースシート１２にクリアシート１４を重ね合わせることにより、表示された基準となるインテリア部材のイメージの変化を具現的に把握することができるとともに、クリアシート１４の表示が無い部分は透明であるので、イメージの変化しない部分はベースシート１２の表示がそのまま透けて見えるので、ベースシート１２に表示された元の室内空間のイメージの変化も合わせて把握することができる。
【００１８】
ここで、各インテリア部材のイメージの変化を説明する。テーブル２０、及び、応接テーブル３４は、端部を曲線状に変化させている。カウンター２４は、コーナー部を曲線状に変化させている。ドア２６は、デザインを変化させている。クロセット２８は、取っ手部のデザインを変化させている。
【００１９】
このインテリア表示物１０により、選定者が上記のドア２６のイメージ変化が気に入ったとする。選定者は、ドア２６のイメージの変化、及び、室内空間全体のイメージの変化を即座に把握することができるとともに、さらには、ページ表記３６を見て、別途用意されているカタログの１４ページを参照することにより、このイメージに適合するドアの詳細を確認できる。
【００２０】
選択されるイメージの要素としては、上記の「形状」に限られるものではなく、この他に「機能」、「色」、及び、「素材」等が考えられる。
【００２１】
例えば、イメージの要素として「色」を採用する場合は、クリアシート１４に、基準となるインテリア部材に「色」の変化を与えた際のイメージの変化の表示をする。「機能」、または、「素材」を選択する場合も同様である。
【００２２】
また、ベースシート１２に表示されるインテリア部材も図２に示されるものに限られるものではなく、種々の室内空間の表示を用意し、それぞれに対してクリアシート１４を用意すれば、より多くの選定ヴァリエーションが得られる。
【００２３】
また、本実施形態においては、複数のインテリア部材が配置された室内空間を対象としているが、これをシンプルな形態とすることもできる。つまり、ベースシート１２に１つのインテリア部材のみを表示し、クリアシート１４にそのイメージの変化を表示させれば、単品のインテリア部材に対するイメージの変化を容易に把握することができる。
【図面の簡単な説明】
【００２４】
【図１】インテリア部材表示物の斜視図。
【図２】ベースシートに表示された基準となるインテリア部材を示す図。
【図３】クリアシートに表示されたイメージの変化を示す図。
【図４】ベースシートの上にクリアシートを重ね合わせた様子を示す図。
【符号の説明】
【００２５】
１０  インテリア部材表示物
１２  ベースシート
１４  クリアシート
１６  位置合わせガイドマーク
２０  テーブル
２１  イメージ要素表示
２２  いす
２６  ドア
２８  クロセット
３０  ソファ
３２  １人用ソファ
３４  応接テーブル
３６  カタログのページ表記
【図１】
2006031407.tif 000003
【図２】
2006031407.tif 000004
【図３】
2006031407.tif 000005
【図４】
2006031407.tif 000006